(57)【要約】      （修正有）【課題】未知のアカウントの双方が互いにメッセージを交換できるようにする。【解決手段】複数個のクライアントおよび一つのサーバを含む。サーバの受信ユニットは、複数個のクライアントのいずれかのソースクライアントから転送された電子メッセージの受信に用いられる。データベースは、受信した電子メッセージの保存に用いられる。マッチングユニットは、電子メッセージの地理位置パラメータを利用して、マッチング規則に基づきデータベースにおいて現存するその他の電子メッセージを照合し、マッチングに成功したか否かを決定し、マッチングに成功した場合にマッチングリストを生成する。サーバの処理ユニットは、マッチングリストに基づき、複数個のクライアントの少なくともいずれかとやりとりを行うのに用いられる。【選択図】図１
2008199567.tif 000002
【特許請求の範囲】
【請求項１】
ソースクライアントからの内容部分と地理位置パラメータを有する電子メッセージを受信し、
該電子メッセージをデータベースに保存し、
該電子メッセージの該地理位置パラメータを利用し、マッチング規則に基づき該データベースにおいて現存するその他の電子メッセージと照合してマッチングに成功したか否かを決定し、
マッチングに成功した場合、マッチングリストを生成し、
該マッチングリストに基づき、少なくとも一つのその他のクライアントとやりとりすることを含むネットワークにおける非リアルタイム電子メッセージ交換方法。
【請求項２】
該マッチング規則は、該データベースにおいて保存されたその他の電子メッセージの地理位置パラメータが、該受信した電子メッセージの地理位置パラメータと適合するか否かを決定する請求項１に記載の方法。
【請求項３】
該マッチングリストは、複数個の項目を有し、各該項目は、それぞれ一つのクライアントに対応し、且つ該少なくとも一つのその他のクライアントとやりとりするステップは、
該マッチングリストにおける複数個の項目のそれぞれ対応するクライアントに通知を転送し、
該対応するクライアントの応答を受信することを更に含む請求項１に記載の方法。
【請求項４】
該少なくとも一つのクライアントの応答は返信の電子メッセージであり、且つ、
該返信の電子メッセージを該ソースクライアントに転送し、
該ソースクライアントの応答を受信することを更に含む請求項３に記載の方法。
【請求項５】
該少なくとも一つのクライアントの応答は通信のリクエストであり、且つ、
通信データを該少なくとも一つのクライアントに選択的に提供し、該少なくとも一つのクライアントと該ソースクライアントとの間に通信リンクを確立することを更に含む請求項３に記載の方法。
【請求項６】
該電子メッセージはクライアント識別コードを更に含み、且つ該通信データは該クライアント識別コードを含み、該少なくとも一つのクライアントが該通信リンクを確立できるようにする請求項５に記載の方法。
【請求項７】
該地理位置パラメータをグローバル・ポジショニング・システム信号とする請求項１に記載の方法。
【請求項８】
該電子メッセージは時間パラメータを更に含み、且つ該マッチング規則は、該データベースにおいて保存されたその他の電子メッセージの時間パラメータが、該受信した電子メッセージを時間パラメータに適合するか否かを決定することを更に含む請求項１に記載の方法。
【請求項９】
各クライアントが、地理位置パラメータの生成に用いられる地理位置パラメータ生成ユニットと、内容部分および該地理位置パラメータを含む電子メッセージの転送に用いられるメッセージ転送ユニットとを含む複数個のクライアントと、
該複数個のクライアントの内のいずれかのソースクライアントから転送される電子メッセージの受信に用いられる受信ユニットと、受信した該電子メッセージの保存に用いられるデータベースと、該電子メッセージの該地理位置パラメータを利用し、マッチング規則に基づき該データベースにおいて現存するその他の電子メッセージを照合し、マッチングに成功したか否かを決定し、マッチングに成功した場合にマッチングリストを生成するマッチングユニットと、該マッチングリストに基づき、該複数個のクライアントの少なくともいずれかとやりとりを行うのに用いられる処理ユニットとを含むサーバを備えたネットワークにおける非リアルタイム電子メッセージ交換システム。
【請求項１０】
該マッチング規則は、該データベースにおいて保存されたその他の電子メッセージの地理位置パラメータが、該受信した電子メッセージの地理位置パラメータに適合するか否かを決定する請求項９に記載のシステム。
【請求項１１】
該マッチングリストは、複数個の項目を有し、各項目は、それぞれ一つのクライアントに対応し、且つ該処理ユニットは、該マッチングリストにおける複数個の項目のそれぞれに対応するクライアントに通知を転送するのに更に用いられ、該受信ユニットは、該対応するクライアントの応答を受信するのに更に用いられる請求項９に記載のシステム。
【請求項１２】
該対応するクライアントの応答は返信の電子メッセージであり、且つ該処理ユニットは、該返信の電子メッセージを該ソースクライアントに転送するのに更に用いられ、且つ該受信ユニットは該ソースクライアントの応答を受信するのに更に用いられる請求項１１に記載のシステム。
【請求項１３】
該対応するクライアントの応答は通信のリクエストであり、且つ該処理ユニットは、通信データを該対応するクライアントに選択的に提供し、該対応するクライアントと該ソースクライアントとの間に通信リンクを確立するのに更に用いられる請求項１１に記載のシステム。
【請求項１４】
該電子メッセージは転送者の識別コードを更に含み、且つ該通信データは該クライアント識別コードを含み、該対応するクライアントが該通信リンクを確立できるようにする請求項１３に記載のシステム。
【請求項１５】
該地理位置パラメータをグローバル・ポジショニング・システム信号とする請求項９に記載のシステム。
【請求項１６】
該電子メッセージは時間パラメータを更に含み、且つ該マッチング規則は、該データベースにおいて保存されたその他の電子メッセージの時間パラメータが、該受信した電子メッセージの時間パラメータに適合するか否かを決定することを更に含む請求項９に記載のシステム。
【発明の詳細な説明】
【技術分野】
【０００１】
本発明は、マルチメディア電子メッセージ管理方法及びシステムに関する。具体的には、ネットワークにおける複数個のユーザに対する非リアルタイム地理座標ポジショニングメッセージ交換の管理方法及びシステムに関する。
【背景技術】
【０００２】
ネットワークの基礎構造はすでに徐々に完備されているため、各種ネットワークの応用がそれに伴って発展し、且つすでにユーザに受け入れられ、利用されていることが多い。各種の電子メッセージ交換のメカニズムは日増しに重要になっており、且つ全体的なネットワークは、電信の応用を含め、すでに日増しに重要な影響力をもってきている。また、携帯電話の機能が絶えず強化されるのに伴い、ネットワークユーザが交換可能なメッセージの内容は、写真、音声、映像など、更に多くのメッセージの種類を含むことができるようになっている。
【０００３】
電子メール、インスタントメッセージ、ショートメッセージサービス（SMS）、マルチメディアメッセージサービス（MMS）など、従来のリアルタイムな電子メッセージの交換では、アカウントを使用してメッセージ転送側と受信側の識別を行うものであり、メッセージ交換者はメッセージの転送または受信を行うのにアカウントを必要とする。しかし、これらの電子メッセージ交換方式では、メッセージ交換者の双方が相手のアカウントを知っている場合にのみメッセージの交換を行うことができ、更に多様化したメッセージ交換方式を提供することができない。電子掲示板（BBS）、ブログ、ネットワークアルバムなどの非リアルタイムな電子メッセージ交換システムは、一意の識別アカウントがなければ、ユーザは非リアルタイムなメッセージを転送することができない。また、従来の通信システムの下では、非常に多くの制限を受ける。しかし、現在、ネットワークの電子商取引が日増しに盛んになっており、ネットワークでの友人探し、フォーラム、掲示板などの各種の異なるネットワークの応用に適した、更に多種の異なるメッセージ交換方式が必要とされている。
【０００４】
そのため、新しい電子メッセージ交換方法及びシステムを提供し、多様化したメッセージ転送方式を提供することが必要とされている。
【発明の開示】
【発明が解決しようとする課題】
【０００５】
本発明の目的は、非リアルタイムな地理座標ポジショニング電子メッセージ交換方法及びシステムを提供し、未知のアカウントの双方が互いにメッセージを交換できるようにすることにある。
【課題を解決するための手段】
【０００６】
本発明は、ネットワークにおける非リアルタイム電子メッセージ交換方法を提供する。この方法は、ソースクライアントからの電子メッセージの受信を含み、この電子メッセージは、内容部分と地理位置パラメータを有する。電子メッセージをデータベースに保存する。電子メッセージの地理位置パラメータを利用して、マッチング規則に基づきデータベースにおいて現存するその他の電子メッセージと照合し、マッチングに成功したか否かを決定する。マッチングに成功した場合、マッチングリストを生成する。その後、マッチングリストに基づき、少なくとも一つのその他のクライアントとやりとりする。
【０００７】
本発明は、ネットワーク中における非リアルタイム電子メッセージ交換システムを提供する。このシステムは、複数個のクライアントおよび一つのサーバを含む。各クライアントは、地理位置パラメータ生成ユニットおよびメッセージ転送ユニットを含む。地理位置パラメータ生成ユニットは、地理位置パラメータの生成に用いられ、メッセージ転送ユニットは電子メッセージの転送に用いられる。この電子メッセージは、内容部分および地理位置パラメータを含む。サーバは、受信ユニット、データベース、マッチングユニット、および処理ユニットを含む。受信ユニットは、複数個のクライアントの内のいずれかのソースクライアントから転送された電子メッセージの受信に用いられる。データベースは、受信した電子メッセージの保存に用いられる。マッチングユニットは、電子メッセージの地理位置パラメータを利用し、マッチング規則に基づきデータベースにおいて現存するその他の電子メッセージと照合し、マッチングに成功したか否かを決定し、マッチングに成功した場合、マッチングリストを生成する。処理ユニットは、マッチングリストに基づき、複数個のクライアントの少なくともいずれかとやりとりを行うのに用いられる。
【発明を実施するための最良の形態】
【０００８】
本文で使用する用語の定義は次の通りである。これらの説明は、当業者が本発明をよりはっきりと理解することができるようにするものであり、本発明を制限するものと見なしてはならない。
ネットワーク：各デバイスの間を、各種の有線または無線の通信リンクで、所定のプロトコルにより、相互にコミュニケーションとデータ転送を行うために確立された基礎構造。
サーバ：ネットワークにおいて特定のサービスを提供するデバイス。例えば、メッセージ交換を提供するサーバ、またはデータ保存を提供するデータベースサーバなど。
クライアント：ユーザがネットワーク経由でサーバに接続し、サーバが提供する各種のサービスにアクセスするデバイス。例えば、コンピュータ、携帯電話、ＰＤＡなど。本文では、直接ユーザと略称する場合がある。
＜システムの概要＞
【０００９】
図１は、本発明の具体的な実施形態の非リアルタイム電子メッセージ交換システム１００を示したものである。非リアルタイム電子メッセージ交換システム１００は、ネットワーク１０５において用いられ、複数個のクライアント（例えば、クライアント１１０ａ、１１０ｂ、１１０ｃ）に対し非リアルタイムなメッセージ交換を行う。非リアルタイム電子メッセージ交換システム１００は、サーバ１２０を有する。サーバ１２０は、受信ユニット１２２、データベース１２４、マッチングユニット１２６、および処理ユニット１２８を有する。受信ユニット１２２は、複数個のクライアント１１０ａ、１１０ｂ、１１０ｃからの電子メッセージの受信に用いられる。ここで注意が必要なことは、クライアント１１０ａ、１１０ｂ、１１０ｃは、いずれも電子メッセージをサーバ１２０に転送することが可能なことである。説明に便利なように、本実施形態では、クライアント１１０ａからのメッセージ転送を例とし、ここではそのクライアント１１０ａをソースクライアントと呼ぶことにするが、同様の方式をクライアント１１０ｂと１１０ｃにも応用できることは当業者は理解可能である。クライアント１１０ａは、地理位置パラメータ生成ユニット１１２およびメッセージ転送ユニット１１４を含む。地理位置パラメータ生成ユニット１１２は、グローバル・ポジショニング・システム（global positioning system）信号などの地理位置パラメータ１３４の生成に用いられる。クライアント１１０ａがサーバ１２０に転送する電子メッセージ１３０は、内容部分１３２および地理位置パラメータ１３４を含む。説明に便利なように、ここで電子メッセージ１３０について簡単に説明し、その他の詳細については、図２を参照して詳しく述べる。
【００１０】
クライアント１１０ａは、メッセージ転送ユニット１１４を介し、ネットワークアップロード手順によって（例えば、ＴＣＰ／ＩＰプロトコルによってパケットを転送）、電子メッセージ１３０をサーバ１２０に転送した後、上記の受信ユニット１２２によって受信し、データベース１２４に保存する。データベース１２４の詳細については、図３において詳しく述べる。マッチングユニット１２６は、電子メッセージ１３０の地理位置パラメータ１３４を利用し、事前に設定されたマッチング規則に基づき、データベース１２４において現存するその他の電子メッセージ１２５との照合を行う。現存するその他の電子メッセージ１２５、または履歴メッセージとは、その他のクライアントによってアップロードされたことのある電子メッセージをいう。本実施形態において、マッチング規則は、データベース１２４において保存されたその他の電子メッセージ１２５の地理位置パラメータが、受信した電子メッセージ１３０の地理位置パラメータ１３４に適合するか否かを決定する。
【００１１】
いずれかの履歴メッセージ１２５が適合すると確定された場合、この履歴メッセージ１２５はマッチングに成功したと判定される。このとき、履歴メッセージ１２５はマッチングリスト１２７に記入される。処理ユニット１２８は、マッチングリスト１２７に基づき、マッチングに成功したと判定された履歴メッセージ１２５に対応するクライアントとやりとりを行う。これについては、次に詳しく述べる。
【００１２】
ここで注意が必要なことは、図１に示したものは、例示的な構造であり、本発明を制限するために用いるものではない。例えば、非リアルタイム地理座標ポジショニング電子メッセージ交換システム１００は、専属構造を使用して本発明で提供する各種機能を処理することも、例えば一般的なパーソナルコンピュータに適切なソフトウェアアプリケーションを組み合わせるオープン構造を使用して管理の作業を達成させることもできる。
【００１３】
同様に、受信ユニット１２２、データベース１２４、マッチングユニット１２６、および処理ユニット１２８は、例えば集中型の演算構造を使用して単一の統合型の処理回路とすることも、例えば分散型の演算構造を使用して各自の独立したデバイスとすることもできる。データベース１２４は、例えばフラッシュメモリ、磁気ディスクドライブ、フロッピーディスクドライブ、磁気テープドライブ、光学式読み取り書き込みデバイス、磁気光学式読み取り書き込みデバイスなどのその他の各種デバイスなどの、サーバ１２０に内蔵したメモリデバイスとすることができる。または、メッセージデータベース１２４は、物理的にサーバ１２０と分離した別の保存サーバ（図には示されていない）に変更し、サーバ１２０が保存サーバのデータにアクセスして、全体的なサービスを提供することもできる。その他の実施形態において、データベース１２４は、メッセージ保存ユニットおよびユーザデータ保存ユニットを有し、それぞれ電子メッセージおよびユーザの関連データの保存に用いるなど、異なるサブ部分を更に含むことができる。本発明は、データベース１２４の内部のデータ構造を制限せず、例えば、本実施形態において、データベース１２４は関連型のデータベースとすることができる。その他の実施形態において、いかなるその他の異なるデータベース構造も使用することができる。
【００１４】
同様に、クライアント１１０ａ、１１０ｂ、１１０ｃは、例えばインターネット、従来の電話回線ネットワーク、無線ネットワーク、ローカルエリアネットワーク、携帯電話ネットワークなど、各種の方式によって、サーバ１２０とコミュニケーションをとることができる。つまり、本発明は、各種の演算構造またはハードウェアデバイスに限られるものではなく、ネットワーク接続能力を有し、ネットワークサービスを提供する各種構造に応用することができる。
【００１５】
次に、本発明の実施形態について更に詳細に説明し、当業者が本発明の各種応用と利点について更に理解できるようにする。
＜地理位置パラメータを有する電子メッセージ＞
【００１６】
図２は、本発明の具体的な実施形態の地理位置パラメータを有するメッセージの構造を示したものである。図２において、地理位置パラメータを有する電子メッセージ２００のデータ構造が例示されている。本実施形態において、電子メッセージ２００は、内容部分２０１、クライアント識別コード２０２、地理位置パラメータ２０３、その他のパラメータ２０４の４項目のデータを有している。内容部分２０１は、文字、写真・映像などのマルチメディアなどの組み合わせとすることができる。クライアント識別コード２０２は、サーバがこの電子メッセージ２００を送信したクライアントを識別するのに用いられ、例えば、クライアント識別コード２０２は、電子メールアドレス、ユーザ名、ユーザ番号などとすることができる。地理位置パラメータ２０３は、クライアントが自動的に生成するメッセージ送信地の座標情報、またはユーザが自ら指定したメッセージ発生地の座標情報とすることができるが、その限りでない。その他のパラメータ２０４は、利用可能なその他のパラメータとし、例えば、システムが自ら生成した、またはユーザが指定した時間パラメータとすることができる。ここで注意が必要なのは、本実施形態は本発明の例示としてのみ用いられるものであり、本発明の範囲を制限するために用いられるものではなく、例えばその他の実施形態において、電子メッセージ２００は上記のすべての情報フィールドを含まなくてもよく、例えばクライアント識別コード２０２またはその他のパラメータ２０４を含まなくてもよい。または、別の実施形態において、本発明の電子メッセージ２００は、その他の異なる情報フィールドを含むこともできる。
＜ネットワークアップロード手順＞
【００１７】
本実施形態において、ネットワークアップロード手順を介し、上記実施形態の電子メッセージ１３０をサーバ１２０の受信ユニット１２２にアップロードし、電子メッセージ１３０をデータベース１２４に保存する。図３は、このアップロード手順３００を示したフローチャートである。最初に、ステップ３０１において、ユーザがメッセージを生成し、例えば、ユーザインターフェースを介してメッセージをクライアントデバイスに入力する。ステップ３０２において、関連する地理位置パラメータを生成し、この地理位置パラメータは、ユーザが自ら指定することも、クライアントデバイスによって自動的に生成することもできる。その後、ステップ３０３によって、メッセージ転送ユニット１１４（例えば送信器）を介し、ネットワーク１０５に転送し、サーバ１２０の受信ユニット１２２が受信する。ステップ３０４において、受信ユニット１２２は、この電子メッセージをデータベース１２４に保存する。
＜マッチングユニット＞
【００１８】
図４は、本発明の具体的な実施形態のマッチングユニット４００を示し、既定のマッチング規則４０１、および座標マッチングユニット４０２を含む。マッチング規則４０１は事前に設定することができ、規則は座標の関連性を含み、例えば座標が同じである、またはユーザの性別の違いなどのユーザの関連性などである。新しい電子メッセージがデータベース１２４に保存されると、座標マッチングユニット４０２がマッチングを行う。すなわち、マッチング規則４０１に適合するすべての電子メッセージがフィルターされ、マッチングリスト４０３が生成され、処理ユニット１２８に渡されて次の処理を行う。マッチングリスト４０３は、少なくとも一つの項目を有し、少なくとも一つのクライアントに対応する。図４のように、本実施形態におけるマッチングリスト４０３は、Ｎ個の項目を有し、各項目はマッチング規則４０１に適合する履歴メッセージおよびその対応するクライアントデータである。
【００１９】
マッチングユニット４００は、メッセージデータベース１２４に保存された電子メッセージの地理座標照合手順を用いて、地理座標照合手順に適合する複数個の電子メッセージを探す。そのため、このマッチングリスト４０３を介し、処理ユニット１２８は、匿名であるが所定のマッチング規則４０１に適合する２つのユーザに、メッセージの交換を行わせることができる。但し、ここで注意が必要なことは、地理座標を利用して照合を行うマッチング規則は、例として説明したものであり、本発明は、その他のマッチング規則を更に含むことができ、例えば、ある特定時間に適合する電子メッセージをフィルターするなど、電子情報２００のその他のパラメータ２０４を利用してマッチングを行うことができる。
＜マッチング手順＞
【００２０】
図５は、本発明の具体的な実施形態のマッチング手順５００のフローチャートを示したものである。最初に、ステップ５０１において、新しい電子メッセージをメッセージデータベース１２４に保存する。その後、ステップ５０２において、座標マッチングユニット４０２が、既定のマッチング規則４０１に基づき、新しいメッセージとメッセージデータベース１０５の現存するメッセージとのマッチングを行う。ステップ５０３において、マッチング規則４０１に適合するメッセージは、フィルターされ、マッチングリスト４０３が生成される。ステップ５０４において、マッチングリスト４０３が処理ユニット１２８に渡され、処理が行われる。
＜処理ユニットと関連するやりとり＞
【００２１】
図６は、本発明の具体的な実施形態のメッセージ通知手順６００のフローチャートを示したものである。電子メッセージがマッチングに成功した場合、処理ユニット１２８は少なくとも一つのクライアントとやりとりを行う。本発明において、やりとりには多種の方式と型式とが存在し、図６に示したメッセージ通知手順６００は、説明のためのやりとりの方式である。ステップ６０１において、処理ユニット１２８は、マッチングユニット４００が提供するマッチング規則４０１に適合したマッチングリスト４０３を利用して、やりとりを行うクライアントを選択する。ステップ６０２において、データベース１２４で、例えば、ユーザの所定の通知パスなどの、クライアント識別コード２０２をキャプチャする。ステップ６０３において、処理ユニット１２８は、クライアント識別コード２０２によって、同クライアントのユーザに通知する。ステップ６０４において、サーバはクライアントの応答を待つ。
＜クライアントの応答＞
【００２２】
クライアントがメッセージの通知を受け取った後、ユーザは、例えば、通知された電子メッセージを選択し読み取るなど、各種の可能な応答方式を選択することができる。図７は、本発明の具体的な実施形態のクライアント応答手順のフローチャートを示したものである。ステップ７０１において、クライアントは処理ユニット１２８の通知メッセージを受け取る。ステップ７０２において、ユーザはメッセージ読み取りリクエストを送信する。ステップ７０３において、処理ユニット１２８は同電子メッセージをユーザに提供することも、マッチング規則４０１に適合したマッチングリスト４０３をユーザに選択的に提供することもできる。ステップ７０４において、電子メッセージを受信したクライアントは、この電子メッセージに返信するか否かを選択することができる。ステップ７０５において、電子メッセージを受信したクライアントは、通信接続のリクエストの送信を選択することができる。処理ユニット１２８は、このリクエストに対応し、通信データを同対応するクライアントに選択的に提供し、ステップ７０６において、クライアントの間で通信リンクを確立できるようにする。ここで注意が必要なことは、本実施形態は説明でしかなく、制限ではなく、例えばステップ７０２からステップ７０６までは、クライアントが選択可能ないくつかの応答である。しかし、その他の実施形態において、ユーザは一部の応答しか行わないことを選択することも、異なる順序で応答を行わないこともできる。
【００２３】
上記実施形態において、先に電子メッセージを送信したクライアント（すなわちソースクライアント）およびメッセージを受信したクライアント（対応するクライアント）の間は、例を挙げて説明するのに便利なように用いたものであり、本発明は多種の異なる変更を含むことができる。例えば、ソースクライアントが電子メッセージをサーバに送信し、サーバがマッチングリストを生成した後、サーバは、対応するクライアントとやりとりを行うだけでなく、ソースクライアントとやりとりを行うこともでき、例えば、マッチング規則に適合した履歴メッセージをソースクライアントに転送することができる。同様に、ソースクライアントは各種の応答を行うことができる。
【００２４】
本発明では非リアルタイム電子メッセージ交換システムおよび方法を開示する。クライアントは、ＧＰＳ（global positioning system）などの地理位置パラメータ生成ユニットを利用して、地理位置パラメータを有する電子メッセージを生成することができる。サーバは、少なくとも一つの電子メッセージを受信し、データベースに保存するのに用いられる。ユーザは、電子メッセージ送信器を使用し、ユーザアカウント、文字、写真、映像、音声および所在する地理座標を含む電子メッセージをサーバに転送する。サーバは、メッセージの地理座標に基づき、マッチング手順を行い、通知をマッチング規則に適合する履歴メッセージに対応するすべてのクライアントに転送する。こうしたメッセージ交換方式を介し、各ユーザの間が匿名であっても、または互いに相手の連絡方法を知らなくても、サーバのマッチング規則を介し、同じ特徴をもつ（すなわちマッチング規則に適合する）ユーザの間で通信を行うことができる。マッチングに成功した後、ユーザは匿名でサーバを介して連絡を続けることも、直接ユーザとの間で、例えば、従来の電子メール、または電話などの、直接的な連絡を確立することを選択することもできる。
【００２５】
上記の実施形態は、本発明を説明するために用いられたものであり、本発明は以上の特定の実施形態の説明に限られたものではなく、本発明の特許請求の範囲は、これらのすべての修正と変化を含み、本発明の主旨と範囲に真に適合したものであるといえる。
【図面の簡単な説明】
【００２６】
【図１】本発明の具体的な実施形態の非リアルタイム電子メッセージ交換システムである。
【図２】本発明の具体的な実施形態の電子メッセージの構造である。
【図３】本発明の具体的な実施形態の電子メッセージアップロード手順のフローチャートである。
【図４】本発明の具体的な実施形態のマッチングユニットである。
【図５】本発明の具体的な実施形態のマッチングフローチャートである。
【図６】本発明の具体的な実施形態のやりとり手順のフローチャートである。
【図７】本発明の具体的な実施形態のクライアント応答手順のフローチャートである。
【符号の説明】
【００２７】
１００…非リアルタイム電子メッセージ交換システム
１０５…ネットワーク
１１０ａ、１１０ｂ、１１０ｃ…クライアント
１１２…地理位置パラメータ生成ユニット
１１４…メッセージ転送ユニット
１２０…サーバ
１２２…受信ユニット
１２４…データベース
１２５…履歴メッセージ
１２６…マッチングユニット
１２７…マッチングリスト
１２８…処理ユニット
１３０…電子メッセージ
１３２…内容部分
１３４…地理位置パラメータ
２００…電子メッセージ
２０１…内容部分
２０２…クライアント識別コード
２０３…地理位置パラメータ
２０４…その他のパラメータ
４００…マッチングユニット
４０１…既定のマッチング規則
４０２…座標マッチングユニット
４０３…マッチングリスト
【図１】
2008199567.tif 000003
【図２】
2008199567.tif 000004
【図３】
2008199567.tif 000005
【図４】
2008199567.tif 000006
【図５】
2008199567.tif 000007
【図６】
2008199567.tif 000008
【図７】
2008199567.tif 000009